(57)【要約】【課題】鉢植えの植物を支える為に、簡単に支柱が取り付け出来る様にする方法と、支柱を固定する方法を提供する。【解決手段】鉢１に支柱支え２を取り付ける事により、支柱支え２の軸穴を通して支柱４を鉢の土に突き刺す事が出来、土の支持力と支柱支え２の支持により支柱４を自立保持させる事が出来る。立てたい支柱の数に応じて支柱支え２を取り付ける事により、希望の本数の支柱４を立てる事が出来る。又、支柱４の上部を固定リング６で支柱４同士を繋ぐ事により、支柱４の剛性を上げる事が出来る。【選択図】図１
2005185127.tif 000002
【特許請求の範囲】
【請求項１】
支柱支えに支柱の貫通軸穴を設け、軸方向のみ自由度を持たせた軸穴とし、鉢の上部外縁を利用し個別に必要な数だけ固定ビスにて脱着出来る様になっており、装着時、支柱支えの軸穴に支柱を貫通させて鉢の土に支柱を差し込む事により自立保持出来る様にした支柱の支持具。
【請求項２】
支柱支えに支柱の貫通軸穴を設け、軸方向のみ自由度を持たせた軸穴とし、支柱支えを蝶番式にする事により、プラッスチック鉢等の上部外縁にビスで蝶番の固定側を固定する事で、支柱を立てない時は邪魔にならない様に回転収納出来る様になっており、装着時、支柱支えの軸穴に支柱を貫通させて鉢の土に支柱を差し込む事により自立保持出来る様にした支柱の支持具。
【請求項３】
支柱支えに支柱の貫通軸穴を設け、軸方向のみ自由度を持たせた軸穴とし、鉢の上部内側に支柱支えを止める引っかかり代を設け、鉢の上部外縁で支柱を立てたい位置に支柱支えを押し込む事により鉢の内側と外側でフックが引っかかり、支柱支えをワンタッチで固定、フック解除レバーにてフックを解除しワンタッチで外せる様になっており、装着時、支柱支えの軸穴に支柱を貫通させて鉢の土に支柱を差し込む事により自立保持出来る様にした支柱の支持具。
【請求項４】
バンド式のリングに必要な数の支柱固定具を通し、バンドの閉める位置によりリング径を調節出来る様にしたリングと、支柱固定具に支柱を通し締付けレバーにより支柱とリングが締付けられ固定出来る支柱固定具から構成されており、支柱の数と鉢の径に合わせてリングの径調整と支柱を固定出来る様にした支柱の固定具。
【発明の詳細な説明】
【技術分野】
【０００１】
本発明は、鉢植えの植物を保持する支え棒を簡単に固定する方法に関してである。
【背景技術】
【０００２】
鉢に支柱を立てる場合、土に差し込んでも浅い為、安定して支柱を立てるのが困難であった。
【０００３】
鉢の中で支柱を立てる場合、どうしても支柱の間隔が狭くなってしまい支柱を安定させる為上部で結束すると、上部に行くに従い窮屈になり支え効果が弱くなってしまった。
【０００４】
市販のリング付き支柱もあるが、茎葉の成長の激しい植物には支え強度が弱く風の強い屋外では十分な支えが出来なかった。
【特許文献１】特開平１０−１１７５９９号公報
【発明の開示】
【発明が解決しようとする課題】
【０００５】
鉢の浅い土だけでは支柱を十分に保持出来ないという問題点があった。
【０００６】
鉢の外部で支え用の支柱を立てた場合、しっかりした支えが出来るが、鉢を移動させる事が出来なくなるという問題点があった。
【０００７】
市販の植木鉢は、支柱が立てられる様に考慮されておらず簡単に立てられないという問題点があった。
【課題を解決するための手段】
【０００８】
この発明は、鉢の上部外縁に支柱を保持出来る支柱支えを取付ける事により、従来の問題点を解決したものである。
【０００９】
支柱支えは支柱を通す軸穴が開いており、その軸穴に支柱を通し、鉢の土に突き刺す事により支柱が保持出来る。
【００１０】
必要な支柱の数だけ支柱支えを鉢の上部外縁に取付ける事により、必要な所に支柱を立てる事が出来る。
【００１１】
立てた支柱は、鉢に固定されている為、鉢を移動させたい場合、支柱を立てたまま鉢毎移動させる事が出来る。
【発明の効果】
【００１２】
この発明により、鉢１に支柱支え２を取り付けるだけで、簡単に支柱を立てる事が出来る様になった。又、鉢１と支柱４は一体となる為、支柱４を立てたまま鉢１を移動させる事が出来る。設置場所を変えたい場合とか、台風等で安全な場所へ移したい場合等、簡単に移設出来る。
【００１３】
図２の様に、固定ビス３で支柱支え２を鉢１に締め付けるタイプの場合は、既存の鉢で上部に縁枠があれば改造する事無くそのまま取り付ける事が出来る。又、支柱支え２は、支柱を立てたい位置に取り付けるだけなので、支柱の３本立て、４本立て等、必要な数の支柱を自由に立てる事が出来る。
【００１４】
図３の様に、蝶番式の支柱支え２にすれば、支柱を立てる必要の無い場合でも外す事無く、邪魔にならない様に回転収納出来る。支柱支え２の取り付けは、既存のプラスチック製の鉢で上部に縁枠があれば、タッピン等のビスで一度取り付けるだけで簡単に支柱が立てられる様に出来る。
【００１５】
図４の様に、鉢１に支柱支え２の引っかかりを追加する事により、支柱支え２がワンタッチで脱着出来、更に自由に支柱を立てる事が出来る。支柱を立てない場合もワンタッチで外せる為に、鉢の活用範囲を広げる事が出来る。
【００１６】
図５の固定リング６を取り付ける事により複数の支柱４を繋ぐ事が出来、支柱４の補強、及び位置の強制が出来る。鉢１の径、支柱４の数に応じて調整出来る様になっており、広範囲に支柱の固定が出来る。
【発明を実施するための最良の形態】
【００１７】
市販されているプラスチッック製の鉢は成形のし易さより色々な形がある。小さな鉢を除き、全て鉢の上部に縁枠がありこれにより強度を持たせ且つ持ち運びし易くしている。この発明は、これらの鉢の縁枠に付ける支柱の支持具についてである。
【００１８】
既成のプラスチック製鉢の上部縁枠は鉢内面より折れ曲がり２〜３Ｃｍ程度の水平面があり、下部へ折れ曲がり短い垂直面を持たせているいる。この水平の部分と垂直の部分を利用して支柱支えを取り付ける。
【００１９】
支柱支えの先端部には支柱が下向きに貫通する軸穴が開いており、軸穴を通して支柱が鉢の土に突き刺せる位置に支柱支えを鉢上面の縁水平部に置く。これに固定金具をネジで締める事により、鉢上部外縁の母材が挟みこまれ固定出来る。
【００２０】
固定された支柱支えの軸穴に、指定径の支柱を通し土に突き刺す事により支柱を自立固定させる事が出来る。支柱支えは既製の鉢を加工する事無く、任意の位置で必要な数だけ取り付ける事が出来る。
【００２１】
又、専用の鉢を設ける場合、鉢の上部に引っかかり代を追加する事により、これに合う支柱支えにする事により、支柱支えを押し込む事で鉢にフックが引っかかりワンタッチで取り付けられる様に出来る。外す時は、フックを解除する事により簡単に取り外しが出来る様になる。
【００２２】
この様に立てた支柱に栽培している植物を紐で固定する事により茎が折れたり異常に曲がったりする事を防止出来る。又、鉢と支えが一体となっている為、支えをしたまま鉢を移動させる事が出来る。
【実施例１】
【００２３】
この発明の実施例である図１は、鉢１に支柱支え２を取り付け、支柱４を立てた状態を示す。支柱４を立てたい位置に支柱支え２を取り付け、支柱支え２の軸穴に、支柱４を貫通させ、鉢１の土５へ突き刺す事により支柱４の自立保持が出来る。更に支柱４の上部固定保持させる為に、固定リング６を取り付けた総合的な状態を示す。
【００２４】
図２は、支柱支え２を固定ビス３で鉢１に取り付ける脱着方法を示す。鉢１の縁上面に支柱支え２を当て、固定ビス３を支柱支え２にネジ込む事により、鉢１の縁面を挟み込み支柱支え２を鉢１に固定する事が出来る。
【００２５】
支柱支え２の取り付け位置は、固定ビス３で締め付けるだけなので、鉢１の任意の位置に取り付ける事が出来着る。その為、支柱４の３本立て、４本立て等希望する支柱の数に応じて立てる事が出来る。
【実施例２】
【００２６】
図３は、支柱支え２を取り付けたまま、支柱４を立てない時は邪魔にならない様に回転収納出来る様にした方法を示す。支柱支え２は、蝶番式になっており、鉢１の縁外周側面にタッピン等の固定ビス３により支柱支え２の蝶番を固定する。
【００２７】
支柱４を立てる場合は、支柱支え２を収納位置より回転させてセット位置迄起こす。セット位置で、支柱４を支柱支え２の軸穴に貫通させて土５に突き刺す事により支柱４の自立保持が出来る。支柱支え２は、蝶番の回転軸に対して自由度を持っているが、支柱４を土５に突き刺す事により蝶番の回転軸での回転抵抗が大きくなり、支柱４を安定して支える事が出来る。
【００２８】
又、別途図１にある固定リング６を併用する事により、支柱支え２の蝶番部での回転が出来なくなり土５が無くても支柱４の固定が出来る。
【００２９】
支柱を立てない場合、図３に示す様に支柱支え２をセット位置より約２７０゜近く回転させる事により邪魔にならない位置まで退去させる事が出来る。支柱を立てない場合でも支柱支え２を付けたままで邪魔にならずに鉢植えが出来る。
【実施例３】
【００３０】
図４は、鉢１の上部縁の内側に支柱支え２の引っかかり代を設ける事により、支柱支え２をワンタッチで脱着出来る様にした方法を示す。支柱支え２は、図４に示す様にフック解除レバー２Ａと内側フック２Ｂ、外側フック２Ｃから構成している。
【００３１】
鉢１に、内側フック２Ｂの引っかかり代を設ける事により、鉢１外縁部を利用して外側フック２Ｃの２カ所で引っかける事が出来る。支柱支え２のフック部は、母材の弾性変形により、フックのツメ部が広がる様になっている。その為、支柱を立てる位置で支柱支え２を鉢１に押し込む事により支柱支え２のフックが弾性変形により広がり、鉢１の２カ所でフックが引っかかり、ワンタッチで固定させる事が出来る。
【００３２】
支柱支え２を外す場合は、支柱支え２のフック解除レバー２Ａを押す事によりフックのツメが広がり鉢１の引っかかりが外れ、簡単に外す事が出来る。支柱を立てる必要の無い場合、邪魔にならない様にワンタッチで外す事が出来る。
【実施例４】
【００３３】
図５は、鉢１に立てた支柱４間を固定リング６で接続し、支柱４の剛性を上げる方法を示す。固定リング６は、バンド状になっておりリングの径を調整出来る様になっている。鉢４の大きさに応じて調整出来、又立てる支柱４の数に応じて自由に固定出来る様になっている。
【００３４】
支柱固定具８は固定リング６に通したり外したりする事が出来る様になっており、立てた支柱４の本数分だけ支柱固定具８を固定リング６に通す事により全ての支柱の固定が出来る。
【００３５】
固定リング６の片方の末端には、リング固定バンド７が付いており、これに固定リング６のもう一方の末端を通し、必要な径になった所でリング固定バンド７を締める事により、バンド同士が圧着され固定される。
【００３６】
支柱固定具８に規定の支柱を通し、固定したい位置で支柱固定具８のレバーを締める事により、固定リング６と支柱４が締め付けられ固定出来る様になっている。外す場合は、支柱固定具８のレバーを緩める事により、締め付けが解放され簡単に外す事が出来る。
【産業上の利用可能性】
【００３７】
鉢の上部縁枠を利用して支柱支えを取り付ける方法である為、プランター等に支柱を立てる場合にも活用出来る。
【図面の簡単な説明】
【００３８】
【図１】鉢に支柱をセットした全体図である。
【図２】ビス固定式の支柱支えの図である。（実施例１）
【図３】回転収納式の支柱支えの図である。（実施例２）
【図４】ワンタッチ脱着式の支柱支えの図である。（実施例３）
【図５】支柱固定リングの図である。（実施例４）
【符号の説明】
【００３９】
１    鉢
２    支柱支え
２Ａ  フック解除レバー
２Ｂ  内側フック
２Ｃ  外側フック
３    固定ビス
４    支柱
５    土
６    固定リング
７    リング固定バンド
８    支柱固定具
【図１】
2005185127.tif 000003
【図２】
2005185127.tif 000004
【図３】
2005185127.tif 000005
【図４】
2005185127.tif 000006
【図５】
2005185127.tif 000007